(57)【要約】      （修正有）【課題】電源を必要とせず、簡単な構成を有し、雨風に当たる場所に設置することができ、かつ、おみくじ（箋）に代表される種々の巻回状紙片を能動的に選択し、自ら引き抜く動作に快感を得ることができる抽選装置を提供する。【解決手段】下側閉口面と上側開口とを有する筐体部２と、少なくとも１つの巻回状紙片挿入用棒状部４と、棒状部に対応する位置に設けられた開孔部を有する筐体用の蓋体部６と、指蛇構造を有する巻回状紙片引抜用把持具８と、を含み、開孔部の内径は棒状部の外径以上であり、把持具により任意の開孔部からいずれかの巻回状紙片を取り出せること、を特徴とする。【選択図】図２
0003193865.tif 000002
【実用新案登録請求の範囲】
【請求項１】
下側閉口面と上側開口とを有する筐体部と、
少なくとも１つの巻回状紙片挿入用棒状部と、
前記棒状部に対応する位置に設けられた開孔部を有する前記筐体用の蓋体部と、
指蛇構造を有する巻回状紙片引抜用把持具と、を含み、
前記開孔部の内径は前記棒状部の外径以上であり、
前記把持具により任意の前記開孔部からいずれかの前記巻回状紙片を取り出せること、
を特徴とする抽選装置。
【請求項２】
３２個の前記棒状部を含み、
前記蓋体部に少なくとも３２箇所の前記開孔部を有すること、
を特徴とする請求項１に記載の抽選装置。
【請求項３】
前記棒状部の外径が略８ｍｍであること、
を特徴とする請求項１又は２に記載の抽選装置。
【考案の詳細な説明】
【技術分野】
【０００１】
本考案は、新規な構造を有する抽選装置に関する。
【背景技術】
【０００２】
古来より、「くじ引き」は種々の抽選や決定手段として広く利用されてきた。また、「くじ引き」の一態様として、神社においてはおみくじが発行され、参詣人がそれをひいて行く末の吉兆を占う習慣が広く行われてきた。
【０００３】
かかるおみくじとしては、例えば、端部に数字が記載されたおみくじ棒と呼ばれる細長い木製の HYPERLINK "http://ja.wikipedia.org/wiki/%E6%A3%92" \o "棒" 棒が複数本入った HYPERLINK "http://ja.wikipedia.org/wiki/%E8%A7%92%E6%9F%B1" \o "角柱" 角柱又は HYPERLINK "http://ja.wikipedia.org/wiki/%E5%86%86%E6%9F%B1" \o "円柱" 円柱状の HYPERLINK "http://ja.wikipedia.org/wiki/%E7%AD%92" \o "筒" 筒状の箱（おみくじ筒又はおみくじ箱）を振り、前記箱の上面に設けられた小さな穴から一本の棒を取り出し、前記番号を確認し、予め番号付けされたおみくじ箋を受け取るものが一般的である。
【０００４】
また、予め折り畳まれたおみくじ箋を専用の箱に入れておくか又は HYPERLINK "http://ja.wikipedia.org/wiki/%E4%B8%89%E6%96%B9#(%E7%A5%9E%E9%81%93)" \o "三方 (神道)" 三方等の上に置いておき、それを参詣者が直接選んでとるおみくじや、おみくじの HYPERLINK "http://ja.wikipedia.org/wiki/%E8%87%AA%E5%8B%95%E8%B2%A9%E5%A3%B2%E6%A9%9F" \o "自動販売機" 自動販売機（頒布機）に所定の金額の HYPERLINK "http://ja.wikipedia.org/wiki/%E7%A1%AC%E8%B2%A8" \o "硬貨" 硬貨を投入しておみくじ箋を受け取るおみくじ等もある。
【０００５】
その他にも、例えば特許文献１（特開平１１−０９００３２号公報）において提案されている人物及び背景に御利益や運勢が付加された画像をシール用紙に印刷する電子式おみくじ、特許文献２（実用新案登録第３０９８７１０号明細書）において提案されている磁石付きマスコットに収納されたおみくじ、並びに特許文献３（実用新案登録第３０９９９８５号明細書）において提案されている種子付きおみくじ及び容器入り種子付きおみくじ等がある。
【先行技術文献】
【特許文献】
【０００６】
【特許文献１】特開平１１−０９００３２号公報
【特許文献２】実用新案登録第３０９８７１０号明細書
【特許文献３】実用新案登録第３０９９９８５号明細書
【考案の概要】
【考案が解決しようとする課題】
【０００７】
しかしながら、上記特許文献１〜３に記載のおみくじは、おみくじ（箋）を受動的に受け取るものであり、おみくじ（箋）を自ら選択して引き抜くという実感に乏しい。また、上記特許文献１に記載のおみくじは電源、ＣＣＤカメラ及びプリンタ等を必要とし、構成が煩雑であるばかりか、雨風の当たらない設置場所・方法を確保する必要がある。
【０００８】
そこで、本考案の目的は、電源を必要とせず、簡単な構成を有し、雨風に当たる場所に設置することができ、かつ、おみくじ（箋）に代表される種々のくじを能動的に選択し、自ら引き抜く動作に快感を得ることができるくじ引き装置を提供することにある。
【課題を解決するための手段】
【０００９】
本考案者は、上記の課題を解決するために鋭意検討した結果、所謂「指蛇」の構造を有する把持具を使用して筒の内部からくじを引き抜くことが上記課題の解決に極めて効果的であると考え、本考案を完成するに至った。
【００１０】
即ち、本考案は、
下側閉口面と上側開口とを有する筐体部と、
少なくとも１つの巻回状紙片挿入用棒状部と、
前記棒状部に対応する位置に設けられた開孔部を有する前記筐体用の蓋体部と、
指蛇構造を有する巻回状紙片引抜用把持具と、を含み、
前記開孔部の内径は前記棒状部の外径以上であり、
前記把持具により任意の前記開孔部からいずれかの前記巻回状紙片を取り出せること、
を特徴とする抽選装置、を提供するものである。
【００１１】
上記の巻回状紙片として、巻回したおみくじを用いれば、本考案の抽選装置は、おみくじ装置として用いることができる。
【００１２】
本考案の抽選装置においては、より具体的には、
前記開孔部の内径は前記棒状部の外径以上であり、
前記開孔部の個数は前記棒状部の個数以上であり、
前記把持具の外径は前記開孔部の内径未満であり、
少なくとも２つの前記棒状部の端部が前記上側開口端と略同一方向となるように前記筐体部の内部に配置され、
前記把持具を前記棒状部の前記端部に被せることができる程度に、前記開孔部と前記端部を重畳させた状態で、前記蓋体部が前記上側開口端に配置されていること、
が好ましい。
【００１３】
本考案の抽選装置を用いることで、くじ引き等の抽選（選出）の過程において、種々の巻回状紙片（くじ等）を能動的に選択し、自ら引き抜く動作に快感を得ることができる。例えば、円筒状に丸めたおみくじ箋を筒体部の内部に収納し、把持具を、棒状部を覆うように開孔部から挿入しておみくじ箋を把持した状態で引き抜くと、「棒状部を選択することによる満足感」および「棒状部に挿入された巻回状紙片の外周面と把持具との間に生じる摩擦力に抵抗して巻回状紙片を引き抜いた際の達成感」を共に得ることができる。
【００１４】
「指蛇構造」は子供用玩具として広く知られている「指蛇」の構造であり、縄や帯等を編み上げて蛇を模した形状としたものである。典型的な「指蛇」の外観写真を図１に示す。蛇の口に相当する先端開口部に指を入れた状態で「指蛇」又は指を引き抜こうとすると、「指蛇」が収縮してより強固に「指蛇」と指とが連結される仕組みとなっている。
【００１５】
このような構成を有する本発明の抽選装置によれば、電動部位を有さないことから電源を必要としない。加えて、構成が簡単であることから、雨風に当たる場所に設置することや装置のメンテナンスも極めて容易である。
【００１６】
本考案の抽選装置においては、３２個の前記棒状部を含み、前記蓋体部に少なくとも３２箇所の前記開孔部を有すること、が好ましい。抽選装置が当該構成を有することで、抽選用の抽選装置として好適に使用することができる。
【００１７】
また、本考案の抽選装置においては、前記棒状部の外径が４〜１２ｍｍであることが好ましく、略８ｍｍであることがより好ましい。棒状部の外径を当該数値に規定することで、巻回状紙片（例えば筒状に丸めたおみくじ（箋））を容易に挿入することができると共に、把持具を用いて巻回状紙片を引き抜く際に、適度な引き抜き感を得ることができる。
【考案の効果】
【００１８】
本考案によれば、電源を必要とせず、簡単な構成を有し、雨風に当たる場所に設置することができ、かつ、筒状に丸めたおみくじ（箋）に代表される種々の巻回状紙片を能動的に選択し、自ら引き抜く動作に快感を得ることができる抽選装置を提供することができる。
【図面の簡単な説明】
【００１９】
【図１】典型的な「指蛇」の外観写真である。
【図２】本考案の一実施形態に係る抽選相違であるくじ引き装置の概略斜視図である。
【図３】本考案の一実施形態に係るくじ引き装置の筐体部の概略斜視図である。
【図４】本考案の一実施形態に係るくじ引き装置のくじ挿入用棒状部の概略斜視図である。
【図５】本考案の一実施形態に係るくじ引き装置の蓋体部の概略斜視図である。
【図６】本考案の一実施形態に係るくじ引き装置のくじ引抜用把持具の概略斜視図である。
【考案を実施するための形態】
【００２０】
以下、図面を参照しながら本考案の抽選装置の代表例であるくじ引き装置の好適な実施形態について説明するが、本発明はこれらのみに限定されるものではない。なお、以下の説明では、同一又は相当部分には同一符号を付し、重複する説明は省略することもある。また、図面は、本発明を概念的に説明するためのものであるから、理解容易のために、必要に応じて寸法、比又は数を誇張又は簡略化して表している場合もある。
【００２１】
図２は、本考案の一実施形態に係るくじ引き装置の概略斜視図である。なお、くじ引き装置の内部を視認できるように、図の一部を切り欠いている。図２に示すように、本実施形態のくじ引き装置１は、大きく分けて、筐体部２と、くじ挿入（保持）用棒状部４と、蓋体部６と、くじ引抜用把持具８と、で構成されている。
【００２２】
図３〜図６はそれぞれ、筐体部２、くじ挿入用棒状部４、蓋体部６、およびくじ引抜用把持具８の概略斜視図である。図３に示すように、筐体部２は下側閉口端と上側開口端とを有しており、円筒状であることが好ましい。また、筐体部２は、内部にくじ挿入用棒状部４を配置できる大きさとなっている。
【００２３】
また、図４に示すように、くじ挿入用棒状部４は、略円注状であることが好ましい。くじ挿入用棒状部４は筐体部２の内部に配置され、くじ引き装置１を使用する際には、これらくじ挿入用棒状部４の外周面に種々の筒状に丸めたおみくじが挿入して保持される。
【００２４】
筐体部２の内部に配置するくじ挿入用棒状部４の個数は少なくとも２つあればよいが、くじ挿入用棒状部４の個数を増加させることでくじを多様化させることができる。ここで、筐体部２の内部に配置するくじ挿入用棒状部４を３２個とすることで、くじ引き装置１をおみくじ用のくじ引き装置として好適に用いることができる。
【００２５】
くじ挿入用棒状部４の外径は４〜１２ｍｍであることが好ましく、略８ｍｍであることがより好ましい。くじ挿入用棒状部４の外径を当該数値に規定することで、筒状に丸めたおみくじ箋を容易に収納することができると共に、くじ引抜用把持具８を用いておみくじ（箋）を引き抜く際に、適度な引き抜き感を得ることができる。くじ挿入用棒状部４の長さは特に制限されないが、筐体部２の底面と蓋体部６とによって固定されるように、筐体部２の底面と蓋体部６との間の距離と略同一とすることが好ましい。
【００２６】
また、図５に示すように、蓋体部６は開孔部１０を有している。ここで、開孔部１０はくじ挿入用棒状部４の内部にくじ引抜用把持具８を挿入し、くじを引き抜くためのもので、開孔部１０の内径はくじ挿入用棒状部４の外径以上であり、開孔部１０の個数はくじ挿入用棒状部４の個数以上である。
【００２７】
開孔部１０の内径をくじ挿入用棒状部４の外径以上とすることで、くじ引抜用把持具８を開孔部１０およびくじ挿入用棒状部４に容易に挿入することができる。加えて、開孔部１０の内径をくじ挿入用棒状部４の外径以上とすることで、蓋体部６によって開孔部１０を塞ぐことなく、くじ挿入用棒状部４を蓋体部６から引き抜くことができる。
【００２８】
また、開孔部１０の個数を筐体部２の内部に配置するくじ挿入用棒状部４の個数以上とすることで、全てのくじ挿入用棒状部４をくじ引抜用把持具８で引き抜くことができる状態とすることができる。なお、蓋体部６と筐体部２との連結方法は特に限定されず、例えば、蓋体部６を筐体部２の上に置くだけの態様（蓋体部６の自重によって固定）、蓋体部６と筐体部２とを嵌合させる態様、及び螺子部を設けて蓋体部６を筐体部２に締め付ける態様等を挙げることができる。
【００２９】
図６に示すように、くじ引抜用把持具８は所謂「指蛇構造」を有している。上述のとおり、「指蛇構造」とは子供用玩具として広く知られた「指蛇」の構造であり、縄や帯等を編み上げて蛇を模した形状としたものである。蛇の口に相当する先端開口部１２を、巻回状紙片くじを有するくじ挿入用棒状部４の端部に被せた状態でくじ引抜用把持具８を引き抜く際に、くじ引抜用把持具８が収縮し、くじ挿入用棒状部４とくじ引抜用把持具８とが連結される。
【００３０】
その後、くじ挿入用棒状部４とくじ引抜用把持具８とが連結された状態で、くじ引抜用把持具８を蓋体部６から引き抜くことでくじを得ることができる。ここで、くじ引抜用把持具８をくじ挿入用棒状部４から引き抜くためには一定の引き抜き力が必要であることから、くじ引きを行う際に適度な引き抜き感を得ることができる。
【００３１】
くじ引抜用把持具８の外径は開孔部１０内径よりも僅かに小さいことが好ましい。くじ引抜用把持具８の外径を開孔部１０の内径よりも僅かに小さくすることで、上記の適度な引き抜き感を得やすくなると共に、くじ引抜用把持具８をくじ挿入用棒状部４に挿入する軌道が固定されるため、より確実にくじ引抜用把持具８によってくじ収容用筒体部４に収納されたくじを把持することができる。
【００３２】
筐体部２、くじ挿入用棒状部４、および蓋体部６の材質は特に制限されず、木材、プラスチック、金属等を適宜使用することができる。例えば、くじ引き装置１をおみくじ用に使用する場合等、日本的な趣を必要とする場合は木材を使用することができ、重量感や耐環境性が求められる場合にはステンレス鋼材等の各種金属材を用いることができる。また、くじ引き装置１を軽量及び／又は安価にしたい場合は各種プラスチック材を用いることができる。
【００３３】
また、くじ引抜用把持具８の材質は特に制限されず、各種素材の帯や縄等を用いることができる。当該帯や縄等を編み込むことによって、所謂「指蛇」構造を有するくじ引抜用把持具８を得ることができる。
【００３４】
以上、本考案のくじ引き装置の代表的な実施形態について説明したが、本考案はこれらのみに限定されるものではない。
【符号の説明】
【００３５】
１・・・くじ引き装置、
２・・・筐体部、
４・・・くじ挿入用棒状部、
６・・・蓋体部、
８・・・くじ引抜用把持具、
１０・・・開孔部、
１２・・・先端開口部。
【図２】
0003193865.tif 000003
【図３】
0003193865.tif 000004
【図４】
0003193865.tif 000005
【図５】
0003193865.tif 000006
【図６】
0003193865.tif 000007
【図１】
0003193865.tif 000008